(57)【特許請求の範囲】
【請求項１】
立上り片を有した支持軸を対向するように配設したケースと、上部にフック片を有し前記立上り片に枢支するとともに下部には転換子を配設し回動自在とした回動板と、前記転換子下方に弾性部材を介して配設した凸片を有した可動接片と、操作軸を軸支するためのブッシングをケースカバーとともに前記ケース上面に配設したトグルスイッチにおいて、前記転換子底面および前記可動接片はＲ形状とし前記操作軸を傾倒することにより前記ケース内底面に設けた略波形の傾斜台を前記可動接片の凸片が摺動し電路の開閉を行うことを特徴としたトグルスイッチ。
【請求項２】
前記弾性部材をテーパバネとすることを特徴とする請求項１記載のトグルスイッチ。
【請求項３】
前記略波形の傾斜台の末端手前を頂上とし、該頂上から末端までの傾斜を下方に向けたことを特徴とする請求項１および請求項２記載のトグルスイッチ。
【発明の詳細な説明】
【技術分野】
【０００１】
本発明は、操作軸を傾倒させ電路の開閉を行うトグルスイッチに係り、前記操作軸傾倒時にケース内底面に設けた略波形の傾斜台を可動接片の凸片が摺動して、前記ケース中央および両側面に配設した共通接点および固定接点に前記可動接片を接触させる構造としたため、前記共通接点および前記固定接点間の距離を広くとり大電流開離時に発生するアークを切断しやすくすることができるトグルスイッチに関する。
【背景技術】
【０００２】
従来のトグルスイッチは図５に示すように操作軸１０１の傾倒により可動接片１０２の上面を内部にコイルバネ１０３が配設された滑動棒１０４が前記コイルバネ１０３の弾性力により押圧し、前記可動接片１０２上を摺動することで前記可動接片１０２が中心に位置する共通端子１０５上部にある立上り片１０６の凹部１０７を支点として左右に傾倒し、該可動接片１０２下面両端に設けれられた可動接点１０２ａが対向して配設している固定接点１０８と接触することにより電路の開閉が行われるシーソー式トグルスイッチが一般的であった。
【特許文献１】なし
【発明の開示】
【発明が解決しようとする課題】
【０００３】
しかしながら、従来のシーソー式トグルスイッチは可動接片１０２下面両端に設けられた可動接点１０２ａと該可動接点１０２ａの傾倒位置に対応するようにケース内底面に配設された固定接点１０７との接点間距離が短いためオン状態からオフ状態へ切替える際に発生するアークが切れにくくなる、接点溶着が起こりやすくなる、さらには固定接点１０８に異物が付着しやすくなる等の問題が発生していた。
そこで本発明のトグルスイッチは上記の問題を解決可能なトグルスイッチを提供することを目的とする。
【課題を解決するための手段】
【０００４】
本発明は上記目的を達成するため、立上り片を有した支持軸を対向するように配設したケースと、上部にフック片を有し前記立上り片に枢支するとともに下部には転換子を配設し回動自在とした回動板と、前記転換子下方にテーパバネを介して配設した凸片を有する可動接片と、操作軸を軸支するブッシングをケースカバーとともに前記ケース上面に配設したトグルスイッチに係り、前記転換子底面および前記可動接片はＲ形状とし前記操作軸を傾倒することにより前記ケース内底面に設けた略波形の傾斜台を前記可動接片の凸片が摺動して、前記ケース中央および両側面に配設した共通接点および固定接点に前記可動接片が接触した後直ぐに前記可動接片と前記共通接点および前記固定接点が摺動する構造とした。
【発明の効果】
【０００５】
（１）立上り片を有した支持軸を対向するように配設したケースと、上部にフック片を有し前記立上り片に枢支するとともに下部には転換子を配設し回動自在とした回動板と、前記転換子下方にテーパバネを介して配設した凸片を有した可動接片と、操作軸を軸支するブッシングをケースカバーとともに前記ケース上面に配設したトグルスイッチに係り、前記転換子底面および前記可動接片はＲ形状とし前記操作軸を傾倒することにより前記ケース内底面に設けた略波形の傾斜台を前記可動接片の凸片が摺動して、前記ケース中央および両側面に配設した共通接点および固定接点に前記可動接片が接触する構造としたため、従来のシーソー式トグルスイッチよりも接点間距離を広く取ることができ、アークを切り易くすることができる。
（２）転換子と可動接片の間に配設した弾性部材をテーパバネとしたため、通常のコイルバネを配設するよりもＲ形状とした可動接片に対する接触面積を広く取ることができ、該可動接片に対する押圧力を高めることができる。
（３）略波形の傾斜台両側付近の末端手前を頂上とし、該頂上から末端にかけての傾斜をわずかに下方へ向けた構造としたため、操作軸を傾倒させ可動接片の凸片が前記傾斜台を摺動していき前記頂上を越えたところで、該凸片が前記傾斜台から浮き、その勢いで前記可動接片上部に配設されたテーパバネの押圧力が働き、該可動接片の共通接点および固定接点に対する十分な接触力を確保することができる。
（４）本発明のトグルスイッチは打接点方式であった従来のシーソー式トグルスイッチに比べ、可動接片が該可動接片上部に配設されたテーパバネの押圧力により共通接点および固定接点に十分な接触力で接触した後直ぐに前記可動接片と前記共通接点および前記固定接点がわずかに摺動してオンとなる構造としたため前記固定接点に異物が付着していた場合に、この摺動により削り取ることが可能となる。また、この摺動によりオン状態からオフ状態にする際に従来のシーソー式トグルスイッチのような接点溶着も起こりにくくなる。
【発明を実施するための最良の形態】
【０００６】
本発明は、立上り片を有した支持軸を対向するように配設したケースと、上部にフック片を有し前記立上り片に枢支するとともに下部には転換子を配設し回動自在とした回動板と、前記転換子下方にテーパバネを介して配設した凸片を有した可動接片と、操作軸を軸支するブッシングをケースカバーとともに前記ケース上面に配設したトグルスイッチに係り、前記転換子底面および前記可動接片はＲ形状とし前記操作軸を傾倒することにより前記ケース内底面に設けた略波形の傾斜台を前記可動接片の凸片が摺動して、該傾斜台頂上を超えたところで前記凸片が前記傾斜台から浮き、その勢いで前記可動接片上部に配設されたテーパバネの押圧力が働き、該可動接片の共通接点および固定接点に対する十分な接触力で接触した後直ぐに前記可動接片と前記共通接点および前記固定接点が僅かに摺動してオンとなる構造としたため前記固定接点に異物が付着していた場合に、この僅かな摺動により削り取ることが可能となる。また、この僅かな摺動により従来の打接点方式のシーソー式トグルスイッチのような接点溶着も起こりにくくなる。
【実施例１】
【０００７】
以下、本発明の実施例について、図面を参照しながら詳細に説明する。
【０００８】
図１は本発明のトグルスイッチの分解斜視図、図２は本発明のトグルスイッチの断面図である。これらの図において、ケース１４に設けられた配設溝１４ａに立上り片１３ａを有した支持軸１３を該支持軸１３の折曲部１３ｂが前記配設溝１４ａの段部１４ｂに接触するまで上方から挿入する。前記ケース１４底面に設けられた孔（図示なし）には上方より共通接点１６および固定接点１７が挿入され、共通端子１８の丸孔１８ａおよび接触端子１９の丸孔１９ａに挿入され、該丸孔１８ａ、１９ａから突き出た前記共通接点１６および前記固定接点１７下部の残り代を加締めることにより前記共通接点１６、前記固定接点１７、前記共通端子１８、前記接触端子１９の４部品を前記ケース１４に確実に固定する。また、前記ケース１４内底面には傾斜台１４ｃが設けられている。なお、該傾斜台１４ｃは略波形で前記ケース１４外側の末端部手前を頂上とし、該頂上から末端までの傾斜と該頂上から中央までの傾斜を下方に向けた。なお、該傾斜台１４ｃの上方には該傾斜台１４ｃの傾斜と曲率半径がほぼ同一にプレス加工されかつ凸片１２ａおよび折曲舌片１２ｂが設けられた可動接片１２が載置される。
【０００９】
該可動接片１２の上部には底面に長溝（図示なし）および穴１０ｂを有した転換子１０が該転換子１０の穴１０ｂにテーパバネ１１を介すとともに前記可動接片１２の折曲舌片１２ｂが前記長溝（図示なし）に挿入されて載置される。これにより該転換子１０が左右に傾倒されたとしても前記テーパバネ１１と前記可動接片１２を同時に傾倒することが可能となる。
【００１０】
次に、樹脂で構成され中央に丸孔９ａを有した平板９ｂと、金属で構成され上部にフック片９ｃを有した金属片９ｄがインサート成形にて一体成形され回動板９を構成し、前記転換子１０上部の凸部１０ａに前記丸孔９ａが配設され、前記フック片９ｃが前記支持軸１３の立上り片１３ａに枢支される。この状態のまま該回動板９の丸孔９ａを介してコイルバネ８が前記転換子１０の凸部１０ａに挿入され、該コイルバネ８の上部には連結子７が配設される。
【００１１】
次に、ケースカバー６中央の貫通孔６ａの下方からブッシング５が該ブッシング５側面の最上段から最下段手前まで設けられたキー溝５ａと前記ケースカバー６中央の貫通孔６ａ内側面の突起６ｂが合わさるように挿入され前記ブッシング５最下段で係止される構造となっている。このように前記ケースカバー６と前記ブッシング５を係止するとともに、さらに前記ケースカバー６の貫通孔６ａの下方より操作軸１を挿入する。該操作軸１は前記ブッシング５に挿入されるとともに略中央の球体部１ａが該ブッシング５の天面部５ｂに接触することにより上方への抜け止めが図られる。
【００１２】
この状態のまま前記ケースカバー６の下方に突出した凸起６ｄが前記ケース１４の穴１４ｅと、前記ケースカバー６のネジ孔６ｃが前記ケース１４のネジ孔１４ｄとそれぞれ合わさるように前記ケースカバー６を前記ケース１４上方に載置し、該ケース１４の下方からネジ１５によりネジ止めがされ本発明のトグルスイッチが完成する。なお、前記凸起６ｄおよび前記穴１４ｅは前記ケースカバー６を左右逆向きに取り付けることを防ぐために設けてある。
【００１３】
該トグルスイッチをパネル（図示なし）に取り付ける場合には該パネルに設けた孔（図示なし）に六角ナット４と該六角ナット４の緩み防止のため内歯座金３を配設した前記ブッシング５を前記パネルの孔（図示なし）に挿入した後、丸ナット２を前記ブッシング５に配設し、前記パネル（図示なし）に締め付けることによりパネル取り付けが可能となる。
【００１４】
本発明のトグルスイッチの操作軸１を傾倒した様子を断面図で示したのが図３（ａ）、図３（ｂ）、図３（ｃ）、図３（ｄ）であり、平面図で示したのが図４（ａ）、図４（ｂ）、図４（ｃ）、図４（ｄ）である。なお、図３（ａ）と図４（ａ）、図３（ｂ）と図４（ｂ）、図３（ｃ）と図４（ｃ）、図３（ｄ）と図４（ｄ）はそれぞれ対応している。
【００１５】
図３（ａ）と図４（ａ）のように操作軸１が中央に在る時は可動接片１２の凸片１２ａが傾斜台１４ｃの上に載置されている。ただし、図３および図４に記載している図はオン−オンタイプのため実際には中央で停止することはない。この状態から前記操作軸１が傾倒されると図３（ｂ）、図４（ｂ）に示すように前記傾斜台１４ｃに沿いながら徐々に該傾斜台１４ｃを摺動していき、のように前記傾斜台１４ｃの頂上まで達する。
この時、前記可動接片１２は前記転換子１０底面の長溝（図示なし）に挿入されたままで、かつテーパバネ１１を間に介すことにより下方へ押圧力を受けているので、前記転換子１０の動きに確実に追従していき、かつ前記傾斜台１４ｃ上を確実に摺動していく。
【００１６】
その後、図３（ｃ）、図４（ｃ）のように前記可動接片１２の凸片１２ａが該傾斜台１４ｃから浮きはじめ、その後図３（ｄ）、図４（ｄ）のように上方からのテーパバネ１１の押圧力により前記可動接片１２の可動接点１２ｃが固定接点１７および共通接点１６に接触し、その勢いのまま僅かに摺動することでオンとなる。同様にオフとする時は前記可動接点１２ｃが前記固定接点１７および前記共通接点１６と僅かに摺動した後、再び前記凸片１２ａが前記傾斜台１４ｃに乗り上げ、該傾斜台１４ｃの傾斜に沿って下っていく。この僅かに摺動する動作が従来のシーソー式トグルスイッチのような接点溶着を防いでいる。
【００１７】
このように前記傾斜台１４ｃが前記操作軸１傾倒時に前記可動接片１２の前記凸片１２ａを左右に摺動することを案内し、該傾斜台１４ｃの頂上まで達したところで前記凸片１２ａが浮き始め、その直後前記転換子１０底面の穴１０ｂに配設されたテーパバネ１１の押圧力により、前記可動接点１２ｃが前記固定接点１７および前記共通接点１６に十分な接触力をもって接触し、そのまま前記可動接点１２ｃが前記固定接点１７および前記共通接点１６と僅かに摺動することでオンとなる。
【００１８】
本発明のトグルスイッチは上記の実施例以外にも本発明の趣旨に基づいて種々の変形が可能である。これらを本発明の方法の範囲から排除するものではない。
【産業上の利用可能性】
【００１９】
本発明のトグルスイッチは、ケース内に傾斜台を配設することで該傾斜台上をＲ形状にプレス加工した可動接片が摺動して共通接点および固定接点に接触する構造とし、該共通接点と該固定接点の接点間距離を広くしてオンからオフへ開離する際に発生するアークを切り易くすることができるため、大電流を開閉する場合に好適である。
【図面の簡単な説明】
【００２０】
【図１】本発明のトグルスイッチの分解斜視図である。
【図２】本発明のトグルスイッチの断面図である。
【図３】本発明のトグルスイッチの操作軸傾倒時の様子を示した断面図である。
【図４】本発明のトグルスイッチの操作軸傾倒時の様子を示した平面図である。
【図５】従来のシーソー式トグルスイッチの断面図である。
【符号の説明】
【００２１】
１  操作軸
１ａ  球体部
２  丸ナット
３  内歯座金
４  六角ナット
５  ブッシング
５ａ  キー溝
５ｂ  天面部
６  ケースカバー
６ａ  貫通孔
６ｂ  突起
６ｃ、１４ｄ  ネジ孔
６ｄ  凸起
７  連結子
８  コイルバネ
９  回動板
９ａ、１８ａ、１９ａ  丸孔
９ｂ  平板
９ｃ  フック片
９ｄ  金属片
１０  転換子
１０ａ  凸部
１０ｂ、１４ｅ  穴
１１  テーパバネ
１２  可動接片
１２ａ  凸片
１２ｂ  折曲舌片
１２ｃ  可動接点
１３  支持軸
１３ａ  立上り片
１３ｂ  折曲部
１４  ケース
１４ａ  配設溝
１４ｂ  段部
１４ｃ  傾斜台
１５  ネジ
１６  共通接点
１７  固定接点
１８  共通端子
１９  接触端子
【図１】
0004539919.tif 000002
【図２】
0004539919.tif 000003
【図３】
0004539919.tif 000004
【図４】
0004539919.tif 000005
【図５】
0004539919.tif 000006